(57)【特許請求の範囲】
【請求項１】
微小な宝石と、
前記宝石以上に硬質の一対のガラス板と、
前記一対のガラス板を載置する枠体と前記枠体上に載置されたガラス板を挟持する爪体とが形成された台座と、
で構成され、
前記枠体を介して載置された前記一対のガラス板の間には空隙が形成され、当該空隙の高さは、前記宝石の最大径と略同一であって、
前記宝石は前記空隙内を移動可能に収容されている装身具であって、
前記爪体は前記枠体上に離間して形成され、
前記爪体が存在する外周領域においては、前記ガラス板が前記爪体及び前記枠体によって挟持され、
前記爪体が存在しない外周領域においては、前記ガラス板が前記枠体に載置されていることを特徴とする装身具。
【請求項２】
前記枠体と前記枠体上に載置されたガラス板とは、ＵＶ接着されていることを特徴とする請求項１記載の装身具。
【請求項３】
前記宝石は、ダイヤモンド、エメラルド及びルビーからなる群より選ばれたものであり、前記台座は、金、銀、プラチナ、ステンレス、チタン合金及び真鍮からなる群より選ばれた金属を原材料として形成したものであることを特徴とする請求項１又は２記載の装身具。
【発明の詳細な説明】
【技術分野】
【０００１】
本発明は、宝石の周囲を覆って固定することなく、宝石全面を露出した装身具に関する。
【背景技術】
【０００２】
従来より、指輪、ブローチ、ネックレス、イヤリングといった類の装身具に宝石を用いる場合には、宝石の周囲や裏半面を台座で覆って（台座の取付穴に宝石を留めて）固着することで、宝石を固定している。
【０００３】
一方で、宝石を固定することなしに、閉鎖空間内に宝石を散りばめてなるブレスレットとして使うことが可能な腕時計用ケースが存在する（特許文献１）。
【０００４】
特許文献１に開示された腕時計用ケースは、ムーブメントの厚み方向を表側と裏側との２つの空間に分離し、表側を時計として、裏側を宝石を散りばめたブレスレットとして使うことを可能としており、装身具としてのファッション性に加え、宝飾・ジュエリー時計としての機能を持たせ、高級感のある腕時計を提供している。
【０００５】
【特許文献１】特開２００３−１４９３５２号公報（図２、明細書００１５，００２８，００３４）
【発明の開示】
【発明が解決しようとする課題】
【０００６】
このように、宝石を固定することなしに装身具として提供するためには、宝石を閉鎖空間内に収容する必要があるが、特許文献１に開示されたものによれば、表側を時計、裏側をブレスレットとしてなり、表側と裏側とを分離する分離箇所には時計ムーブメントが配置されていることから、裏側に存在する宝石を表側から観ることが困難で、宝石全面を鑑賞することはできない。
【０００７】
また、宝石が散りばめられている閉鎖空間の高さによって、宝石が何の障害もなく移動できる高さであると、散りばめられている宝石が自重によって一箇所に片寄るだけであるから、宝石の一粒一粒の美しさを鑑賞する楽しみが損なわれる。
【０００８】
本発明は、このような点に鑑みてなされたものであり、その目的は、宝石の周囲を覆って固定することなく、宝石全面を露出することによって、宝石全面を鑑賞することができ、宝石の一粒一粒を鑑賞することができる、趣向性に富んだ装身具を提供することにある。
【課題を解決するための手段】
【０００９】
以上のような課題を解決するために、本発明は、一対のガラス板と、一対のガラス板を載置する枠体及び枠体上に載置されたガラス板を挟持する爪体が形成された台座と、で構成され、枠体を介して載置された一対のガラス板の間には空隙が形成され、この空隙内に微小な宝石が収容されていることを特徴とする。空隙の高さは、宝石の最大径と略同一であって、宝石は空隙内を移動可能である。
【００１０】
より具体的には、本発明は、以下のものを提供する。
【００１１】
（１）  微小な宝石と、前記宝石以上に硬質の一対のガラス板と、前記一対のガラス板を載置する枠体と前記枠体上に載置されたガラス板を挟持する爪体とが形成された台座と、で構成され、前記枠体を介して載置された前記一対のガラス板の間には空隙が形成され、当該空隙の高さは、前記宝石の最大径と略同一であって、前記宝石は前記空隙内を移動可能に収容されている装身具であって、前記爪体は前記枠体上に離間して形成され、前記爪体が存在する外周領域においては、前記ガラス板が前記爪体及び前記枠体によって挟持され、前記爪体が存在しない外周領域においては、前記ガラス板が前記枠体に載置されていることを特徴とする装身具。
【００１２】
本発明によれば、一対のガラス板の間には空隙が形成されて、この空隙の高さは、宝石の最大径と略同一であることから、一対のガラス板と台座とでなる閉鎖空間内に収容されている宝石は、空隙の高さよりも宝石の最大径が僅かに小さければ空隙内を移動でき、空隙の高さと宝石の径が同じであれば空隙内を移動できずに留まることができる。すなわち、「略同一」の範囲を、同じか僅かに小さいとすることによって、同じである場合は宝石が一対のガラス板に挟持され、僅かに小さい場合は宝石が一対のガラス板を何の障害も無く移動できるという現象を作り出すことができ、趣向性に富んだ装身具を提供することができる。
【００１３】
また、宝石の周囲を覆って固定することなく、一対のガラス板によって宝石が収容されていることから、収容された宝石の全面が露出されている状態を鑑賞することができ、宝石全面の一粒一粒を鑑賞することができる。特に、宝石の全面を露出して宝石の全面に光が入射することから、宝石の輝きを最大限に引き出して、趣向性に富んだ装身具を提供することができる。
【００１４】
また、本発明の装身具においては、前記台座は、前記枠体上に載置されたガラス板を挟持する爪体が形成されていることを特徴とする。
【００１５】
本発明によれば、枠体上に載置されたガラス板を挟持する爪体が形成されていることから、ガラス板を枠体と爪体との押圧によって脱落しないように構成している。
【００１６】
（２）  前記枠体と前記枠体上に載置されたガラス板とは、ＵＶ接着されていることを特徴とする装身具。
【００１７】
本発明によれば、枠体上に載置されたガラス板が脱落しないように、枠体と枠体上に載置されたガラス板とをＵＶ接着したり、爪体による挟持に加えてＵＶ接着したりすることで固着する。
【００１８】
（３）  前記宝石は、ダイヤモンド、エメラルド及びルビーからなる群より選ばれたものであり、前記台座は、金、銀、プラチナ、ステンレス、チタン合金及び真鍮からなる群より選ばれた金属を原材料として形成したものであることを特徴とする装身具。
【００１９】
本発明によれば、ダイヤモンド、エメラルド及びルビーから１又は複数の宝石が選ばれ、金、銀、プラチナ、ステンレス、チタン合金及び真鍮から１又は複数を原材料とする金属によって形成した台座によって装身具を提供することができる。
【発明の効果】
【００２０】
以上説明したように、本発明によれば、一対のガラス板と台座とでなる閉鎖空間内に収容されている宝石は、その全面が露出されている状態で鑑賞することができることから、宝石の輝きを最大限に引き出し、趣向性に富んだ装身具を提供することができる。
【発明を実施するための最良の形態】
【００２１】
図１は、本発明の実施の形態に係る装身具１の外観図である。
【００２２】
装飾具１は、宝石２と、一対のガラス板３，３'と、台座４と、チェーン連結部５と、から構成されている。
【００２３】
宝石２は、ダイヤモンド、エメラルド、ルビー等の微小な石であり、空隙６（図３）の高さｈと略同一の最大径を有するようにカットされる。なお、宝石には、加工されたもののみならず、無加工の宝石原石も含まれる。
【００２４】
一対のガラス板３，３'は、収容される宝石２以上に硬質の素材であり、単結晶サファイヤ、透光性セラミック、無機ガラス、硬質プラスチック等からなる群より選ばれたものである。透明な一対のガラス板によって、その間に収容された宝石２を両側から観察することができる。
【００２５】
台座４は、金、銀、プラチナ、真鍮等からなる群より選ばれた金属を原材料として形成したものであり、爪体４ａと、枠体４ｂと、が形成されている。なお、図１乃至図４に示す台座４は略四角形状であるが、これ以外にも、略円形や略三角形などの形状で形成することができ、台座の形状に合わせて一対のガラス板の形状を採用する。台座４とガラス板３，３'とは、爪体４ａによって挟持されたり、紫外線（ＵＶ）を照射して接着するＵＶ接着されたり、両者によって固着したりすることができる。
【００２６】
爪体４ａは、枠体４ｂ上に載置されたガラス板３，３'を挟持するものであり、台座４の四隅に形成されている（図１、図４参照）。なお、台座４の形状が略円形の場合には円周に沿って、略三角形の場合には三隅に、というように、趣向性を損なわないような自然な位置に爪体を形成することができる。なお、爪体４ａは、一対のガラス板３，３'を挟持することができるように両側に形成されていてもよく、片方のガラス板３（又は３'）を挟持することができるように片側に形成されていてもよい。
【００２７】
枠体４ｂは、その両側にガラス板が載置されるものであり、一対のガラス板３，３'が接触しないように所定の幅ｈ（図２、図３参照）を持っている。すなわち、一対のガラス板３，３'は幅ｈの間隔をもって枠体４ｂ上に載置されており、幅ｈの分だけの空隙６が形成される。幅ｈは、宝石の最大径と略同一である。
【００２８】
チェーン連結部５は、装身具１を首掛け用や腕掛け用のチェーンで連結するための連結孔を有する。
【００２９】
図２は、本発明の実施の形態に係る装身具１の側面図であり、一対のガラス板３，３'は、台座４に形成された爪体４ａによって、爪体４ａと枠体４ｂとの押圧により挟持されている。一対のガラス板３，３'は、枠体４ｂの幅ｈの間隔をもって枠体４ｂ上に載置されている。
【００３０】
図３は、図１のＡ−Ａ断面図であり、枠体４ｂの幅ｈの間隔をもって一対のガラス板３，３'が載置され、一対のガラス板３，３'と枠体４ｂ（台座４）とでなる高さｈの閉鎖空間たる空隙６を形成している。
【００３１】
図４は、本発明の実施の形態に係る装身具１の台座４の外観図であり、台座４は、爪体４ａと枠体４ｂとで形成されている。
【産業上の利用可能性】
【００３２】
本発明に係る装身具は、宝石の周囲を覆って固定することなく、宝石全面を露出することによって、宝石の輝きを最大限に引き出し、趣向性に富んだものとして有用である。
【図面の簡単な説明】
【００３３】
【図１】本発明の実施の形態に係る装身具の外観図である。
【図２】本発明の実施の形態に係る装身具の側面図である。
【図３】図１のＡ−Ａ断面図である。
【図４】本発明の実施の形態に係る装身具の台座の外観図である。
【符号の説明】
【００３４】
１  装身具
２  宝石
３，３'  ガラス板
４  台座
４ａ  爪体
４ｂ  枠体
５  チェーン連結部
６  空隙
【図１】
0005303701.tif 000002
【図２】
0005303701.tif 000003
【図３】
0005303701.tif 000004
【図４】
0005303701.tif 000005